(57)【要約】【課題】簡単な構成で充放電を実行しながら蓄電池の劣化状態を知らせることを目的とする。【解決手段】蓄電池診断装置は、蓄電池のＳＯＣを取得するＳＯＣ取得部と、蓄電池の温度を取得する温度取得部と、蓄電池の温度およびＳＯＣと劣化速度との関係を示す劣化速度特性を記憶する記憶部と、取得された温度およびＳＯＣと、劣化速度特性とに基づいて蓄電池の劣化速度を特定し、所定期間における劣化速度を累積することにより蓄電池の劣化度を算出する診断部と、劣化度に基づいて、蓄電池の劣化状態に関する情報を出力する出力部とを備える。【選択図】図２
2020038138.tif 000002
【特許請求の範囲】
【請求項１】
蓄電池のＳＯＣを取得するＳＯＣ取得部と、
前記蓄電池の温度を取得する温度取得部と、
前記蓄電池の温度およびＳＯＣと劣化速度との関係を示す劣化速度特性を記憶する記憶部と、
取得された前記温度および前記ＳＯＣと、前記劣化速度特性とに基づいて前記蓄電池の劣化速度を特定し、所定期間における前記劣化速度を累積することにより前記蓄電池の劣化度を算出する診断部と、
前記劣化度に基づいて、前記蓄電池の劣化状態に関する情報を出力する出力部と、
を備えることを特徴とする蓄電池診断装置。
【請求項２】
前記診断部は、前記蓄電池の稼動開始時点から現在までの劣化速度を累積することにより前記蓄電池の現在の劣化度を算出し、前記蓄電池の現在の劣化度と所定の基準値との比較結果に基づいて、前記蓄電池の現在の劣化状態を診断し、
前記出力部は、前記蓄電池の現在の劣化状態を出力する
ことを特徴とする請求項１記載の蓄電池診断装置。
【請求項３】
前記診断部は、複数の時点における前記蓄電池の劣化度に基づいて、将来の前記蓄電池の劣化度を予測し、前記蓄電池の稼動開始時点から、将来の前記蓄電池の劣化度が所定の基準値となる時点までの経過期間を前記蓄電池の寿命として推定し、
前記出力部は、前記蓄電池の寿命を出力する
ことを特徴とする請求項１または２に記載の蓄電池診断装置。
【請求項４】
前記診断部は、複数の時点における前記蓄電池の劣化度に基づいて、将来の前記蓄電池の劣化度を予測し、前記蓄電池の稼動開始時点から、将来の前記蓄電池の劣化度が所定の基準値となる時点までの経過期間を前記蓄電池の寿命として推定し、前記蓄電池の稼動開始時点から現在までの経過期間を前記蓄電池の寿命から減算した値を前記蓄電池の余寿命として算出し、
前記出力部は、前記蓄電池の余寿命を出力する
ことを特徴とする請求項１〜３のいずれかに記載の蓄電池診断装置。
【請求項５】
蓄電池と、前記蓄電池の温度を計測する温度計測装置と、前記蓄電池に接続されたＰＣＳと、前記蓄電池を診断する蓄電池診断装置とを備えた蓄電池診断システムであって、
前記蓄電池診断装置は、
前記蓄電池のＳＯＣを前記ＰＣＳから取得するＳＯＣ取得部と、
前記蓄電池の温度を前記温度計測装置から取得する温度取得部と、
前記蓄電池の温度およびＳＯＣと劣化速度との関係を示す劣化速度特性を記憶する記憶部と、
取得された前記温度および前記ＳＯＣと、前記劣化速度特性とに基づいて前記蓄電池の劣化速度を特定し、所定期間における前記劣化速度を累積することにより前記蓄電池の劣化度を算出する診断部と、
前記劣化度に基づいて、前記蓄電池の劣化状態に関する情報を出力する出力部と、
を含むことを特徴とする蓄電池診断システム。
【請求項６】
コンピュータに、
蓄電池のＳＯＣを取得し、
前記蓄電池の温度を取得し、
取得された前記温度および前記ＳＯＣと、前記蓄電池の温度およびＳＯＣと劣化速度との関係を示す劣化速度特性とに基づいて前記蓄電池の劣化速度を特定し、所定期間における前記劣化速度を累積することにより前記蓄電池の劣化度を算出し、
前記劣化度に基づいて、前記蓄電池の劣化状態に関する情報を出力する
処理を実行させるための蓄電池診断プログラム。
【請求項７】
コンピュータが、
蓄電池のＳＯＣを取得し、
前記蓄電池の温度を取得し、
取得された前記温度および前記ＳＯＣと、前記蓄電池の温度およびＳＯＣと劣化速度との関係を示す劣化速度特性とに基づいて前記蓄電池の劣化速度を特定し、所定期間における前記劣化速度を累積することにより前記蓄電池の劣化度を算出し、
前記劣化度に基づいて、前記蓄電池の劣化状態に関する情報を出力する
処理を実行することを特徴とする蓄電池診断方法。
【発明の詳細な説明】
【技術分野】
【０００１】
本発明は、蓄電池診断装置、蓄電池診断システム、蓄電池診断プログラム、および蓄電池診断方法に関する。
【背景技術】
【０００２】
近年，太陽光発電や風力発電などの再生可能エネルギーによる発電装置が電力系統に使用されている。太陽光発電や風力発電は、発電電力が天候等の自然環境に左右されるため、供給電力を安定させるために蓄電池の導入が増加している。例えば、電力系統の周波数が基準周波数（50もしくは60Hz）よりも低い場合は負荷電力＞発電電力となっているため、蓄電池から放電を行うことにより発電電力を増加させることにより、電力系統の周波数を安定化させる制御を行う。また、周波数が基準周波数よりも高い場合は負荷電力＜発電電力となっているため、蓄電池に充電を行うことにより負荷電力を増加させることにより、電力系統の周波数を安定化させる制御を行う。
【０００３】
このような制御を行うために用いられる蓄電池の容量は、太陽光発電や風力発電の規模が大きいほど、大きくなる。また、蓄電池の容量が大きいほど、蓄電池が故障した際の電力系統への影響は大きくなる。よって、蓄電池の劣化状態をユーザに知らせて、ユーザが劣化状態を把握した上で、適切な時期でのメンテナンスや更新を行うことが望まれる。
【０００４】
関連する技術として、充電中におけるコンデンサ両端の電圧変化を測定し、ラプラス変換を用いて交流インピーダンスを演算し、交流インピーダンスから電池の寿命を診断する技術が提案されている（例えば、特許文献１を参照）。
【先行技術文献】
【特許文献】
【０００５】
【特許文献１】特開２０１３−５４００３号公報
【発明の概要】
【発明が解決しようとする課題】
【０００６】
しかし、特許文献１に示す方法を用いる場合、コンデンサやコンデンサに電流を流す装置、コンデンサに電流を流す際に回路の切り替えを行うスイッチなどが必要になるため、設備が複雑になってしまうという欠点を有する。また、特許文献１に示す方法では、診断時には蓄電池から充放電を行うことができないといった欠点も有している。
【０００７】
１つの側面として、本発明は、簡単な構成で充放電を実行しながら蓄電池の劣化状態を知らせることを目的とする。
【課題を解決するための手段】
【０００８】
１つの態様では、蓄電池診断装置は、蓄電池のＳＯＣを取得するＳＯＣ取得部と、前記蓄電池の温度を取得する温度取得部と、前記蓄電池の温度およびＳＯＣと劣化速度との関係を示す劣化速度特性を記憶する記憶部と、取得された前記温度および前記ＳＯＣと、前記劣化速度特性とに基づいて前記蓄電池の劣化速度を特定し、所定期間における前記劣化速度を累積することにより前記蓄電池の劣化度を算出する診断部と、前記劣化度に基づいて、前記蓄電池の劣化状態に関する情報を出力する出力部とを備える。
【発明の効果】
【０００９】
１つの側面によれば、簡単な構成で充放電を実行しながら蓄電池の劣化状態を知らせることができる。
【図面の簡単な説明】
【００１０】
【図１】実施形態のシステムの全体構成の一例を示す図である。
【図２】蓄電池診断装置の一例を示す図である。
【図３】蓄電池ＳＯＣＤＢに記憶されるデータの例を示す図である。
【図４】蓄電池温度ＤＢに記憶されるデータを示す図である。
【図５】劣化速度特性グラフを示す図である。
【図６】劣化速度特性データを示す図である。
【図７】蓄電池の劣化状態に関する情報の例を示す図である。
【図８】蓄電池の稼動開始からの経過期間と劣化度との関係を示す図である。
【図９】蓄電池の稼動開始からの経過期間と劣化度の関係と基準値を示す図である。
【図１０】劣化度に基づく蓄電池の寿命推定方法を示す図である。
【図１１】１日におけるＳＯＣと経過時間との関係を示す図である。
【図１２】一日における蓄電池の温度と経過時間との関係を示す図である。
【図１３】１日における蓄電池の劣化速度と経過時間との関係を示す図である。
【図１４】実施形態の処理の一例を示すフローチャートである。
【図１５】蓄電池診断装置のハードウェア構成の一例を示す図である。
【発明を実施するための形態】
【００１１】
以下、図面を参照して、実施形態について説明する。図１は、実施形態のシステムの全体構成の一例を示す図である。実施形態のシステムは、蓄電池診断装置１とＰＣＳ２と蓄電池３と温度計測装置４と電力系統５と表示装置６を含む。図１において、実線は電線を示し、点線は通信線を示す。
【００１２】
蓄電池診断装置１は、ＰＣＳ２から蓄電池３のＳＯＣ（State of charge）を取得し、温度計測装置４から蓄電池３の温度を取得する。そして、蓄電池診断装置１は、蓄電池３の劣化度を診断し、蓄電池３の劣化状態に関する情報を出力する。蓄電池診断装置１は、コンピュータの一例である。
【００１３】
ＰＣＳ２は、蓄電池３に接続され、蓄電池３が放電する場合、蓄電池３から出力された直流電流を交流電流に変換し、負荷装置に出力する。また、ＰＣＳ２は、蓄電池３が充電する場合、電力系統５の交流電流を直流電流に変換し、蓄電池３に出力する。ＰＣＳ２は、所定の周期（例えば、５分）で、蓄電池３のＳＯＣを算出し、蓄電池診断装置１に送信する。ＰＣＳ２は、例えば、充放電電力量の累積値に基づいて残容量を算出し、下記式（１）によりＳＯＣを算出する。
ＳＯＣ［％］＝１００×蓄電池３の残容量／満充電容量    （１）
【００１４】
ただし、満充電容量に初期の容量を用いた場合、ＳＯＣの値は、満充電容量が変化することにより徐々に実際の値から離れた値となる。そこで、例えば所定の設定期間（例えば、２週間）毎に、蓄電池３を満充電の状態から全放電の状態にし、放電電力量を測定する。または、全放電の状態から満充電の状態にし、充電電力量を測定する。測定した放電電力量または充電電力量が満充電容量とみなされる。そして、ＰＣＳ２は、測定した満充電容量を用いて上記式（１）によりＳＯＣを算出することにより、ＳＯＣ算出精度を向上することができる。
【００１５】
また、ＰＣＳ２は、蓄電池３の電圧に基づいて、ＳＯＣを算出してもよい。例えば、ＰＣＳ２は、開放状態での端子電圧であるＯＣＶ（Open Circuit Voltage）を測定し、ＯＣＶとＳＯＣとの関係を示すＯＣＶ−ＳＯＣ曲線に基づいて、ＳＯＣを算出してもよい。
【００１６】
なお、ＰＣＳ２がＳＯＣを算出する例を説明したが、蓄電池診断装置１が、ＰＣＳ２から充放電電力量またはＯＣＶを示す情報等を取得し、取得した情報に基づいてＳＯＣを算出してもよい。
【００１７】
蓄電池３は、ＰＣＳ２を介して充電および放電を行う。蓄電池３は、例えば、電力系統の周波数が基準周波数よりも低い場合は、蓄電池から放電を行い、周波数が基準周波数よりも高い場合は蓄電池に充電を行うことにより、電力系統の周波数を安定化させる制御が行われる。蓄電池３は、例えば、リチウムイオン蓄電池、または鉛蓄電池等が適用される。蓄電池３は、複数のセルが接続されたものであってもよい。
【００１８】
温度計測装置４は、蓄電池３の温度を計測し、所定の周期（例えば、５分）で蓄電池診断装置１に送信する。温度計測装置４は、ＰＣＳ２がＳＯＣを算出するタイミングと同じタイミングで計測した温度を出力する。計測する温度は、例えば、蓄電池３のセル内部の温度であるとする。
【００１９】
電力系統５は、例えば、太陽電池、または風力発電装置等を含む。電力系統５は、負荷装置に電力を供給する。また、電力系統５は、ＰＣＳ２を介して余剰電力を蓄電池３に供給することにより蓄電池３を充電する。
【００２０】
図２は、蓄電池診断装置１の一例を示す図である。蓄電池ＳＯＣ取得部１１と蓄電池温度取得部１２と蓄電池ＳＯＣＤＢ(Database)１３と蓄電池温度ＤＢ１４と蓄電池劣化特性ＤＢ１５と診断部１６と蓄電池劣化度ＤＢ１７と出力部１８とを含む。なお、蓄電池３が複数存在する場合、各ＤＢは、蓄電池３毎に生成される。
【００２１】
蓄電池ＳＯＣ取得部１１は、所定の周期でＰＣＳ２からＳＯＣを取得し、蓄電池ＳＯＣＤＢ１３に記憶させる。
【００２２】
蓄電池温度取得部１２は、所定の周期で温度計測装置４から蓄電池３の温度を取得し、蓄電池温度ＤＢ１４に記憶させる。
【００２３】
蓄電池劣化特性ＤＢ１５は、蓄電池３の温度およびＳＯＣと劣化速度との関係を示す劣化速度特性を記憶する。
【００２４】
診断部１６は、取得された温度およびＳＯＣと、蓄電池劣化特性ＤＢ１５に記憶された劣化速度特性とに基づいて蓄電池３の劣化速度を特定する。そして、診断部１６は、所定期間における劣化速度を累積することにより蓄電池３の劣化度を算出し、蓄電池劣化状態ＤＢ１７に記憶させる。所定期間は、例えば、蓄電池３の稼動開始時点から現在までの期間である。また、診断部１６が算出する劣化度は、定格充電容量に対して、現在の蓄電池３の容量が何％減少しているかを表す。
【００２５】
診断部１６は、蓄電池３の現在の劣化度と所定の基準値とを比較し、比較結果に基づいて、現在の蓄電池３の劣化状態を診断する。例えば、診断部１６は、蓄電池３の現在の劣化度と所定の基準値との比較結果に基づいて、蓄電池３の現在の劣化状態が正常か異常かを診断する。診断部１６は、診断した劣化状態を蓄電池劣化度ＤＢ１７に記憶させる。
【００２６】
診断部１６は、複数の時点における蓄電池３の劣化度に基づいて、将来の蓄電池３の劣化度を予測し、蓄電池３の稼動開始時点から、将来の蓄電池３の劣化度が所定の基準値となるまでの経過期間を蓄電池３の寿命として推定する。また、診断部１６は、蓄電池３の稼動開始時点から現在までの経過期間を寿命から減算した値を蓄電池３の余寿命として算出する。診断部１６は、推定した寿命および算出した余寿命を蓄電池劣化度ＤＢ１７に記憶させる。
【００２７】
蓄電池劣化度ＤＢ１７は、診断部１６が劣化速度特性に基づいて特定した劣化速度、１日のうちの劣化速度の統計値（平均値、最大値、また最小値）、劣化度、現在の劣化状態（正常または異常）、寿命、余寿命等を記憶する。
【００２８】
出力部１８は、劣化度に基づいて、蓄電池３の劣化状態に関する情報を出力する。蓄電池３の劣化状態に関する情報は、例えば、診断部１６が診断した、蓄電池３が正常か異常かを示す情報、蓄電池３の寿命および余寿命である。また、出力部１８は、劣化度、ＳＯＣ、温度、劣化速度等の時間推移をグラフ化して出力してもよい。
【００２９】
出力部１８は、各情報を表示装置６に表示させる。また、出力部１８は、各情報を他の情報処理装置等にネットワークを介して送信してもよい。
【００３０】
図３は、蓄電池ＳＯＣＤＢ１３に記憶されるデータの例を示す図である。蓄電池ＳＯＣ取得部１１は、ＰＣＳ２から取得したＳＯＣを蓄電池ＳＯＣＤＢ１３に記憶させる。図３に示した例では、５分周期で算出されたＳＯＣを示しているが、ＳＯＣの算出周期は、５分でなくてもよい。
【００３１】
図４は、蓄電池温度ＤＢ１４に記憶されるデータを示す図である。図４に示すデータは、５分ごとの蓄電池３の摂氏温度を示す。温度計測装置４は、ＰＣＳ２がＳＯＣを計測するタイミングと同じタイミングで蓄電池３の温度を計測し、蓄電池診断装置１に送信する。蓄電池温度取得部１２は、取得した温度を蓄電池温度ＤＢ１４に記憶させる。
【００３２】
図５は、劣化速度特性グラフを示す図である。図５に示すように、劣化速度特性は、蓄電池３の温度およびＳＯＣと劣化速度との関係を示している。図５に示す例では、ＳＯＣが大きいほど劣化速度が大きく、ＳＯＣが小さいほど劣化速度が小さい。また、蓄電池温度の値が大きいほど、劣化速度が大きく、蓄電池温度の値が小さいほど、劣化速度が小さい。なお、図５に示す例は、蓄電池３にリチウムイオン電池を適用した例であり、例えば、蓄電池３に鉛蓄電池を適用した場合、ＳＯＣが小さいほど劣化速度が大きくなる。
【００３３】
図６は、劣化速度特性データを示す図である。図６に示すように、劣化速度特性データとして、蓄電池の温度およびＳＯＣの組と劣化速度との関係が記憶されている。図６に示す劣化速度は、１日あたりの劣化度の変化量を示す。また、図６に示す例では、ＳＯＣは５％間隔であり、温度は５℃間隔であるが、ＳＯＣの間隔および温度の間隔は、図６に示す例には限られない。
【００３４】
図７は、蓄電池３の劣化状態に関する情報の例を示す図である。図７に示す各情報は、蓄電池劣化状態ＤＢ１７に記憶される情報である。図７（ａ）における年月日は、温度計測およびＳＯＣ算出が行われた日を示す。経過期間は、診断対象の蓄電池３の稼動を開始した日からの経過日数を示す。劣化速度は、診断部１６が、蓄電池３の温度およびＳＯＣと、劣化速度特性とに基づいて特定した値であり、１日あたりの劣化度の変化量を示す。平均劣化速度は、１日における劣化速度の平均値である。劣化度は、診断対象の蓄電池３の稼動を開始した日からの平均劣化速度の累積値である。
【００３５】
図７（ａ）における劣化状態には、診断部１６が劣化度と所定の基準値とを比較し、劣化度が基準値より大きい場合、「正常」と記録され、劣化度が基準値以下の場合、「異常」と記録される。「正常」は、現在の蓄電池３が寿命に達していないことを意味し、「異常」は、現在の蓄電池３が寿命に達していることを意味する。寿命は、蓄電池３の稼動開始日から、将来の蓄電池３の劣化度が所定の基準値となる日までの期間を示す。将来の蓄電池３の劣化度の算出方法については後述する。余寿命は、寿命から、経過期間を減算した値を示す。
【００３６】
図７（ｂ）は、図７（ａ）の平均劣化速度に替えて最大劣化速度が記録されている。最大劣化速度は、１日における劣化速度の最大値である。劣化度は、最大劣化速度の累積値である。他の項目に関しては、図７（ａ）と同様である。
【００３７】
図７（ｃ）は、図７（ａ）の平均劣化速度に替えて最小劣化速度が記録されている。最小劣化速度は、１日における劣化速度の最小値である。劣化度は、最小劣化速度の累積値である。他の項目に関しては、図７（ａ）と同様である。
【００３８】
出力部１８は、例えば、図７（ａ）〜（ｃ）に示すデータの一部又は全部を表示装置６に表示させてもよい。
【００３９】
上記の例では、診断部１６は、平均劣化速度、最大劣化速度および最小劣化速度を、１日のうちに計測された全ての劣化速度に基づいて算出する。他の例として、劣化速度の分布が正規分布になると仮定した場合、診断部１６は、１σ区間、２σ区間、または３σ区間内の劣化速度に基づいて、平均劣化速度、最大劣化速度および最小劣化速度を算出してもよい。これにより、診断部１６は、外れ値を除外して平均劣化速度、最大劣化速度および最小劣化速度を算出することができるので、算出精度を向上させることができる。
【００４０】
図８は、蓄電池３の稼動開始からの経過期間と劣化度との関係を示す図である。図８は、図７（ａ）に示す劣化度に対応しているが、図７（ｂ）、（ｃ）に示す劣化度も重ねて表示されていてもよい。図８に示すように、通常、稼動開始からの経過期間が増加するほど、劣化度が増加する。出力部１８は、例えば、図８に示すグラフを表示装置６に表示させることにより蓄電池３がどの程度劣化しているか利用者に知らせることができる。
【００４１】
図９は、蓄電池３の稼動開始からの経過期間と劣化度の関係と基準値を示す図である。具体的には、図９は、図８に示すグラフに、劣化状態の診断に用いる所定の基準値を示す線（図９における１点鎖線）を追加したものである。図９に示す例では、劣化度が所定の基準値（−３０％）より大きい場合、その蓄電池３が正常であり、劣化度が所定の基準値（−３０％）以下となる場合、その蓄電池３が異常であることを示す。
【００４２】
出力部１８は、例えば、図８に示すグラフを表示装置６に表示させることにより蓄電池３が正常か異常かをユーザに知らせることができる。出力部１８は、グラフとともに正常か異常かを示すメッセージを表示させてもよい。
【００４３】
図１０は、劣化度に基づく蓄電池３の寿命推定方法を示す図である。図１０に示すＡは、図７（ａ）に示す劣化度に対応し、Ｂは、図７（ｂ）に示す劣化度に対応し、Ｃは、図７（ｃ）に示す劣化度に対応する。
【００４４】
図１０に示す点線は、診断部１６が現在までの劣化度に基づいて予測した将来の劣化度の近似曲線を示している。診断部１６は、例えば、現在までの複数の時点における劣化度を用いて回帰分析を行うことにより、劣化度と経過期間との関係を示す式を導出する。そして、診断部１６は、導出した式に将来の経過期間を代入することにより、将来の劣化度を算出する。
【００４５】
診断部１６は、蓄電池３の稼動開始時点から、将来の蓄電池３の劣化度が所定の基準値となる時点までの経過期間を蓄電池３の寿命として推定する。図１０に示す例では、診断部１６は、将来の蓄電池３の劣化度を示す近似曲線が基準値を示す直線と交差する時点における経過期間を、寿命として推定する。
【００４６】
出力部１８は、図１０に示すグラフを表示装置６に表示させる。出力部１８は、グラフとともに寿命および余寿命を示す数値を表示させてもよい。出力部１８は、図１０に示すＡ，Ｂ，Ｃの線を全て表示させてもよいし、Ａ，Ｂ，Ｃの線のうちのいずれか一つまたは二つを表示させてもよい。
【００４７】
図１０に示す例では、Ｂ，Ａ，Ｃの順に寿命が短いと推定される。すなわち、最大劣化速度を用いた劣化度に基づいて推定された寿命が最も短く、最小劣化速度を用いた劣化度に基づいて推定された寿命が最も長い。出力部１８は、例えば、最大劣化速度を用いた劣化度に基づく寿命を示すことにより、安全面を重視した指標を示すことができる。
【００４８】
図１１は、１日におけるＳＯＣと経過時間との関係を示す図である。ＳＯＣは、蓄電池３が充電される時間帯に増加し、蓄電池３が放電される時間帯に減少する。出力部１８は、図１１に示すようなグラフを表示装置６に表示させてもよい。出力部１８は、図１１に示すようなグラフを表示装置６に表示させることにより、１日のうちのＳＯＣの傾向をユーザに知らせることができる。
【００４９】
図１２は、一日における蓄電池３の温度と経過時間との関係を示す図である。具体的には、図１２は、蓄電池３の温度と１日のうちの経過時間との関係を示している。蓄電池３の温度は、蓄電池３が充電または放電される時間帯に上昇する。なお、図１２に示す例では、充電または放電される時間帯以外の温度は略一定であるが、蓄電池３の設置環境に応じて、外気温の影響を受けて変化する可能性もある。
【００５０】
出力部１８は、図１２に示すようなグラフを表示装置６に表示させてもよい。出力部１８は、図１２に示すようなグラフを表示装置６に表示させることにより、１日のうちの蓄電池３の温度の傾向をユーザに知らせることができる。
【００５１】
図１３は、１日における蓄電池３の劣化速度と経過時間との関係を示す図である。蓄電池３の劣化速度は、蓄電池３が充電または放電される時間帯に特に下降し、ＳＯＣが高い時間帯ではＳＯＣが低い時間帯より小さい値となる。
【００５２】
出力部１８は、図１３に示すようなグラフを表示装置６に表示させてもよい。出力部１８は、図１３に示すようなグラフを表示装置６に表示させることにより、１日のうちの劣化速度の傾向をユーザに知らせることができる。
【００５３】
図１４は、実施形態の処理の一例を示すフローチャートである。蓄電池ＳＯＣ取得部１１は、ＰＣＳ２からＳＯＣを取得し、蓄電池ＳＯＣＤＢ１３に記憶させる（ステップＳ１０１）。蓄電池温度取得部１２は、温度計測装置４から蓄電池３の温度を取得し、蓄電池温度ＤＢ１４に記憶させる（ステップＳ１０２）。
【００５４】
診断部１６は、ステップＳ１０１、Ｓ１０２で取得された温度およびＳＯＣと、蓄電池劣化特性ＤＢ１５に記憶された劣化速度特性とに基づいて蓄電池３の劣化速度を特定する（ステップＳ１０３）。そして、診断部１６は、所定期間における劣化速度を累積することにより蓄電池３の劣化度を算出し、蓄電池劣化度ＤＢ１７に記憶させる（ステップＳ１０４）。
【００５５】
診断部１６は、蓄電池３の現在の劣化度と所定の基準値とを比較し、比較結果に基づいて、現在の蓄電池３の劣化状態を診断する（ステップＳ１０５）。例えば、診断部１６は、蓄電池３の現在の劣化状態が正常か異常かを診断する。
【００５６】
診断部１６は、複数の時点における蓄電池３の劣化度に基づいて、将来の蓄電池３の劣化度を予測し、将来の蓄電池３に基づいて、蓄電池３の寿命および余寿命を算出する（ステップＳ１０６）。
【００５７】
出力部１８は、蓄電池３の劣化状態に関する情報として、現在の劣化度、蓄電池３の劣化状態（正常または異常）、寿命、余寿命、および各種情報を用いたグラフ等を出力する（ステップＳ１０７）。
【００５８】
蓄電池診断装置１は、診断終了指示をユーザから受け付けているか判定する（ステップＳ１０８）。蓄電池診断装置１は、診断終了指示を受け付けている場合（ステップＳ１０８でＹＥＳ）、処理を終了する。
【００５９】
蓄電池診断装置１は、診断終了指示を受け付けていない場合（ステップＳ１０８でＮＯ）、ステップＳ１０１の処理を前回実行してから所定時間が経過しているか判定する（ステップＳ１０９）。所定時間が経過していない場合（ステップＳ１０９でＮＯ）、蓄電池診断装置１は、次の処理に進まない。所定時間が経過している場合（ステップＳ１０９でＹＥＳ）、蓄電池診断装置１は、ステップＳ１０１の処理に戻る。
【００６０】
ステップＳ１０９における所定時間は、温度計測装置４の温度計測周期およびＰＣＳ２のＳＯＣ算出周期と同じであってもよい。この場合、出力部１８は、最新の情報を出力し、ユーザに知らせることができる。
【００６１】
ステップＳ１０９における所定時間は、温度計測装置４の温度計測周期およびＰＣＳ２のＳＯＣ算出周期より長い時間（例えば、１時間）あってもよい。この場合、蓄電池診断装置１は、ステップＳ１０１、Ｓ１０２で複数のＳＯＣおよび温度をまとめて取得し、取得したＳＯＣおよび温度を用いてステップＳ１０３〜１０７の処理を行う。この場合、蓄電池診断装置１は、温度計測装置４およびＰＣＳ２との通信量、およびプロセッサ処理量を低減することができる。
【００６２】
以上のように、蓄電池診断装置１は、蓄電池の劣化状態に関する情報として、現在の蓄電池３が正常か異常かを示す情報、寿命、余寿命等を出力するため、ユーザに蓄電池３の劣化状態を知らせることができる。また、蓄電池診断装置１は、コンデンサやコンデンサ等の構成を追加する必要がないため、簡易な構成で、充放電を実行しながら蓄電池３の劣化状態をユーザに知らせることができる。
【００６３】
次に、蓄電池診断装置１のハードウェア構成の一例を説明する。図１５は、蓄電池診断装置１のハードウェア構成の一例を示す図である。図１５の例に示すように、蓄電池診断装置１において、バス１００に、プロセッサ１１１とメモリ１１２と補助記憶装置１１３と通信インタフェース１１４と媒体接続部１１５と入力装置１１６と出力装置１１７とが接続される。
【００６４】
プロセッサ１１１は、メモリ１１２に展開されたプログラムを実行する。実行されるプログラムには、実施形態における処理を行う蓄電池診断プログラムが適用されてもよい。
【００６５】
メモリ１１２は、例えば、Random Access Memory(ＲＡＭ)である。補助記憶装置１１３は、種々の情報を記憶する記憶装置であり、例えばハードディスクドライブや半導体メモリ等が適用されてもよい。補助記憶装置１１３に実施形態の処理を行う蓄電池診断プログラムが記憶されていてもよい。
【００６６】
通信インタフェース１１４は、Local Area Network（ＬＡＮ）、Wide Area Network（ＷＡＮ）等の通信ネットワークに接続され、通信に伴うデータ変換等を行う。
【００６７】
媒体接続部１１５は、可搬型記録媒体１１８が接続可能なインタフェースである。可搬型記録媒体１１８には、光学式ディスク（例えば、Compact Disc(ＣＤ)またはDigital Versatile Disc(ＤＶＤ))、半導体メモリ等が適用されてもよい。可搬型記録媒体１１８に実施形態の処理を行う蓄電池診断プログラムが記録されていてもよい。
【００６８】
入力装置１１６は、例えば、キーボード、ポインティングデバイス等であり、ユーザからの指示及び情報等の入力を受け付ける。
【００６９】
出力装置１１７は、例えば、表示装置、プリンタ、スピーカ等であり、ユーザへの問い合わせ又は指示、及び処理結果等を出力する。出力装置１１７には、図２に示す表示装置６が適用されてもよい。
【００７０】
図２に示す蓄電池ＳＯＣＤＢ１３、蓄電池温度ＤＢ１４、蓄電池劣化特性ＤＢ１５、および蓄電池劣化状態ＤＢ１７は、メモリ１１２、補助記憶装置１１３または可搬型記録媒体１１８等に記憶されてもよい。図２に示す蓄電池ＳＯＣ取得部１１、蓄電池温度取得部１２、診断部１６および出力部１８は、メモリ１１２に展開された蓄電池診断プログラムをプロセッサ１１１が実行することにより実現されてもよい。
【００７１】
メモリ１１２、補助記憶装置１１３および可搬型記録媒体１１８は、コンピュータが読み取り可能であって非一時的な有形の記憶媒体であり、信号搬送波のような一時的な媒体ではない。
【００７２】
＜その他＞
本実施形態は、以上に述べた実施の形態に限定されるものではなく、本実施形態の要旨を逸脱しない範囲内で様々な変更、追加、省略が適用可能である。
【符号の説明】
【００７３】
１    蓄電池診断装置
２    ＰＣＳ
３    蓄電池
４    温度計測装置
５    電力系統
６    表示装置
１１    蓄電池ＳＯＣ取得部
１２    蓄電池温度取得部
１３    蓄電池ＳＯＣＤＢ
１４    蓄電池温度ＤＢ
１５    蓄電池劣化特性ＤＢ
１６    診断部
１７    蓄電池劣化度ＤＢ
１８    出力部
１００    バス
１１１    プロセッサ
１１２    メモリ
１１３    補助記憶装置
１１４    通信インタフェース
１１５    媒体接続部
１１６    入力装置
１１７    出力装置
１１８    可搬型記録媒体
【図１】
2020038138.tif 000003
【図２】
2020038138.tif 000004
【図３】
2020038138.tif 000005
【図４】
2020038138.tif 000006
【図５】
2020038138.tif 000007
【図６】
2020038138.tif 000008
【図７】
2020038138.tif 000009
【図８】
2020038138.tif 000010
【図９】
2020038138.tif 000011
【図１０】
2020038138.tif 000012
【図１１】
2020038138.tif 000013
【図１２】
2020038138.tif 000014
【図１３】
2020038138.tif 000015
【図１４】
2020038138.tif 000016
【図１５】
2020038138.tif 000017